(57)【要約】      （修正有）【課題】同じ財布を長く使用することの可能な財布を提供する。【解決手段】財布は、２つ折りできる薄板状の財布本体１１０と、財布本体１１０との間で紙幣を挟むためのクリップ１２０と、を備え、財布本体１１０に、クリップ１２０を着脱自在に収容できるクリップ収容部１１２を設けたことを特徴とする。財布本体１１０にクリップ１２０を着脱自在に収容できるクリップ収容部１１２を設けたことで、クリップ１２０が痛んでしまった場合や飽きてしまった場合などに、別のクリップに容易に交換することができる。このため、クリップ１２０の交換のためだけに財布全体を交換する必要がない。このようにして、同じ財布を長く使用することができる。【選択図】図５
0003206649.tif 000002
【実用新案登録請求の範囲】
【請求項１】
２つ折りできる薄板状の財布本体と、
前記財布本体との間で紙幣を挟むためのクリップと、
を備え、
前記財布本体に、前記クリップを着脱自在に収容できるクリップ収容部を設けたことを特徴とする、財布。
【請求項２】
前記財布本体の２つ折りできる内側の左右対称位置に、カードを収容できるカードポケットをそれぞれ設け、
前記カードポケットは、１又は２以上のカード挿入口を有し、
前記カード挿入口の上下方向の位置が、左右の前記カードポケットでずれていることを特徴とする、請求項１に記載の財布。
【考案の詳細な説明】
【技術分野】
【０００１】
本考案は、財布にかかり、特に、薄型の財布に関する。
【背景技術】
【０００２】
薄型の財布としてマネークリップと称されるものが知られている（非特許文献１参照）。非特許文献１に開示される財布は、２つに折り畳んだ状態で幅が１２．３ｃｍ、高さが８．８ｃｍ、厚みが０．８ｃｍ程度であり、お札とカードのみを収容できるものである。普通の財布と比較して薄くシンプルな財布として人気が高い。また、メタル調のクリップがおしゃれ感を醸し出している。
【先行技術文献】
【非特許文献】
【０００３】
【非特許文献１】インターネット＜ＵＲＬ：https://www.amazon.co.jp/dp/B0186PL28Y＞
【考案の概要】
【考案が解決しようとする課題】
【０００４】
しかしながら、上記従来の財布は、メタル調のクリップがおしゃれ感を演出しているものの、使用していくうちにクリップのメッキが剥げたり、可動部が破損したりするなど、クリップが痛んでしまうことがある。クリップが痛んでしまうと財布全体として買い替えなければならず、長年の使用には耐えられないという問題があった。また、クリップに飽きてしまったときも、財布全体を別のものに交換する必要があった。
【０００５】
そこで本考案は、このような問題に鑑みてなされたものであり、その目的とするところは、同じ財布を長く使用することの可能な新規かつ改良された財布を提供することにある。
【課題を解決するための手段】
【０００６】
上記課題を解決するために、本考案によれば、２つ折りできる薄板状の財布本体と、前記財布本体との間で紙幣を挟むためのクリップと、を備え、前記財布本体に、前記クリップを着脱自在に収容できるクリップ収容部を設けたことを特徴とする、財布が提供される。
【０００７】
かかる構成によれば、財布本体にクリップを着脱自在に収容できるクリップ収容部を設けたことで、クリップが痛んでしまった場合や飽きてしまった場合などに、別のクリップに容易に交換することができる。このため、クリップの交換のためだけに財布全体を交換する必要がない。このようにして、同じ財布を長く使用することができる。
【０００８】
本考案は様々な応用が可能である。例えば、前記財布本体の２つ折りできる内側の左右対称位置に、カードを収容できるカードポケットをそれぞれ設け、前記カードポケットは、１又は２以上のカード挿入口を有し、前記カード挿入口の上下方向の位置が、左右の前記カードポケットでずれているようにしてもよい。
【０００９】
かかる構成によれば、カード挿入口の上下方向の位置が、左右のカードポケットでずれているようにしたことで、財布を折り畳んだときにカード挿入口が重ならず、薄い財布とすることができる。また、同じ財布を長く使用して素材が厚みを帯びてきても、財布全体の薄さを維持できる。
【考案の効果】
【００１０】
本考案によれば、同じ財布を長く使用することが可能である。本考案のその他の効果については、以下の考案を実施するための形態の項でも説明する。
【図面の簡単な説明】
【００１１】
【図１】第１の実施形態にかかる財布１００を開いた状態を示す図である。
【図２】クリップ１２０を示す図であり、（ａ）はクリップを閉じた状態を示し、（ｂ）はクリップを開いた状態を示す。
【図３】財布１００にお札を挟んだ状態を示す図であり、（ａ）はお札の半分がカードポケットの下にある状態を示し、（ｂ）はお札の全体がカードポケットの下にある状態を示し、（ｃ）はお札の全体がカードポケットの上にある状態を示す。
【図４】クリップ１２０の収納について説明するための図である。
【図５】クリップ１２０を着脱する前後の状態を示す図である。
【図６】第２の実施形態にかかる財布２００を開いた状態を示す図である。
【図７】第２の実施形態にかかる財布２００を閉じた状態を示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
（第１の実施形態）
第１の実施形態にかかる財布１００について、図１〜図５を参照しながら説明する。まず、財布１００の全体構成について、図１〜図３を参照しながら説明する。図１は、本実施形態にかかる財布１００を開いた状態を示す図である。図２は、クリップ１２０を示す図である。図３は、財布１００にお札を挟んだ状態を示す図である。
【００１４】
本実施形態にかかる財布１００は、図１に示したように、２つ折りできる薄板状の財布本体１１０と、財布本体１１０との間で紙幣Ｍを挟むためのクリップ１２０と、クレジットカードなどのカードを収容できるカードポケット１３０、１４０と、を備えて構成される。
【００１５】
以下、財布１００の各構成要素について、詳細に説明する。
【００１６】
（財布本体１１０）
財布本体１１０は、紙幣Ｍを保持する部分であり、紙幣Ｍを保持するのに適切な大きさの矩形で薄板状に構成することができる。財布本体１１０の材質は、財布本体１１０は、後述するクリップ収容部１１２を設けた点以外の材質等は、従来のものと同様のものを用いることができる。例えば、財布本体１１０の材質は、革、ポリ塩化ビニール（ＰＶＣ）、布、ナイロンなど任意の材質を採用することができる。
【００１７】
（クリップ１２０）
クリップ１２０は、財布本体１１０との間で紙幣Ｍを挟むためのものであり、図２に示したように、棒状の長辺１２２と、長辺１２２の一端に結合される短辺１２４とから構成される。クリップ１２０は、後述するように、財布本体１１０に対して着脱自在に収容される。このことから、クリップ１２０としては、形状や色や材質など、さまざまなバリエーションのものを用意できる。
【００１８】
クリップ１２０の長辺１２２の先端部分は、図２に示したように、凹凸形状（ねじのような形状）をしている。これは、後述するように、長辺１２２がクリップ収容部１１２に収容された際に、クリップ１２０が抜けるのを防止する抵抗として機能する。
【００１９】
クリップ１２０の短辺１２４は、結合部１２６において長辺１２２とヒンジ結合されており、長辺１２２に対して、図２（ａ）の閉じた状態と、図２（ｂ）の開いた状態とを変形可能である。長辺１２２と短辺１２４の結合の強さは、クリップ１２０は財布本体１１０との間で紙幣を挟むものであることを考慮して、適切な強さに設定される。例えば、長辺１２２と短辺１２４の結合の強さは、手で開けば開けるが、意図せずに開くことはない程度の強さである。
【００２０】
（カードポケット１３０、１４０）
カードポケット１３０、１４０は、クレジットカードなどのカードを収容できる部分であり、図１に示したように、財布本体１１０の２つ折りできる内側の左右対称位置にそれぞれ設けられる。なお、カードポケット１３０、１４０の材質は、財布本体１１０と同じ材質であってもよく、異なる材質であってもよい。
【００２１】
カードポケット１３０、１４０は、それぞれ３つのカード挿入口を有する。すなわち、カードポケット１３０は、高さ（上下方向の位置）５１ｍｍの位置にカード挿入口１３０ａを有し、高さ６０．５ｍｍの位置にカード挿入口１３０ｂを有し、高さ７０ｍｍの位置にカード挿入口１３０ｃを有する。カードポケット１３０の上辺の高さは７９ｍｍである。カードポケット１４０も同様の位置に、カード挿入口１４０ａ、１４０ｂ、１４０ｃを有する。
【００２２】
左のカードポケット１３０は矩形であり、その左の辺と下の辺が、財布本体１１０に縫製などで固着されており、上の辺と右の辺は、財布本体１１０に固着されていない。右のカードポケット１４０も矩形であり、その右の辺と下の辺が、財布本体１１０に縫製などで固着されており、上の辺と左の辺は、財布本体１１０に固着されていない。
【００２３】
カードポケット１３０、１４０は、上記のように構成されていることで、図３に示したように、使う人によって３パターンの紙幣Ｍの挟み方が可能である。図３（ａ）は、紙幣Ｍの右半分を右のカードポケット１４０の下に置き、紙幣Ｍの左半分を左のカードポケット１３０の上に置いた状態を示す。図３（ｂ）は、紙幣Ｍを左右のカードポケット１３０、１４０の下に置いた状態を示す。図３（ｃ）は、紙幣Ｍを左右のカードポケット１３０、１４０の上に置いた状態を示す。
【００２４】
次に、本実施形態に特徴的な構成について、図４及び図５を参照しながら説明する。図４は、クリップ１２０の収納について説明するための図である。図５は、クリップ１２０を着脱する前後の状態を示す図である。
【００２５】
財布１００は、図４に示したように、財布本体１１０に、クリップ１２０を着脱自在に収容できるクリップ収容部１１２を設けたことを特徴とする。財布本体１１０は、薄板状の一部が下向きに突出する円筒形状（断面が略Ω形状）であり、この部分が、クリップ１２０が収容されるクリップ収容部１１２となっている。クリップ収容部１１２の径は、クリップ１２０とほぼ同径である。
【００２６】
そして、図５（ａ）に示したように、クリップ１２０の長辺１２２の先端部分を、クリップ収容部１１２に挿入する。長辺１２２の先端部分には、上述したように、凹凸形状（ねじのような形状）の抵抗が設けられている。このため、クリップ１２０の長辺１２２をさらに挿入するには、ある程度の力が必要となるが、挿入後は、クリップ１２０が抜けにくい。図５（ｂ）はクリップ１２０の長辺１２２が全部差し込まれた状態である。そして、クリップ１２０の短辺１２４を閉じると、図１の状態になる。
【００２７】
（第１の実施形態の効果）
以上説明したように、本実施形態によれば、財布本体１１０にクリップ１２０を着脱自在に収容できるクリップ収容部１１２を設けたことで、クリップ１２０が痛んでしまった場合や飽きてしまった場合などに、別のクリップに容易に交換することができる。このため、クリップ１２０の交換のためだけに財布全体を交換する必要がない。このようにして、同じ財布１００を長く使用することができる。
【００２８】
（第２の実施形態）
第２の実施形態にかかる財布について、図６及び図７を参照しながら説明する。図６は、本実施形態にかかる財布２００を開いた状態を示す図である。図７は、本実施形態にかかる財布２００を閉じた状態を示す図である。
【００２９】
本実施形態にかかる財布２００は、図６に示したように、２つ折りできる薄板状の財布本体２１０と、財布本体２１０との間で紙幣を挟むためのクリップ２２０と、クレジットカードなどのカードを収容できるカードポケット２３０、２４０と、を備えて構成される。
【００３０】
上記構成要素のうち、財布本体２１０及びクリップ２２０は、上記第１の実施形態の財布本体１１０及びクリップ１２０と実質的に同様に構成することができる。財布本体２１０に、クリップ２２０を着脱自在に収容できるクリップ収容部を設ける点も同様である。このため、重複説明を省略する。
【００３１】
（カードポケット２３０、２４０）
カードポケット２３０、２４０は、図６に示したように、財布本体２１０の２つ折りできる内側の左右対称位置にそれぞれ設けられる。カードポケット２３０、２４０は、それぞれ３つのカード挿入口を有する。本実施形態では、カード挿入口の位置が、左右のカードポケット２３０、２４０で異なっていることを特徴とする。
【００３２】
すなわち、カードポケット２３０は、高さ５１ｍｍの位置にカード挿入口２３０ａを有し、高さ６０．５ｍｍの位置にカード挿入口２３０ｂを有し、高さ７０ｍｍの位置にカード挿入口２３０ｃを有する。カードポケット２３０の上辺の高さは７９ｍｍである。一方、カードポケット２４０は、高さ４９ｍｍの位置にカード挿入口２４０ａを有し、高さ５８．５ｍｍの位置にカード挿入口２４０ｂを有し、高さ６８ｍｍの位置にカード挿入口２４０ｃを有する。カードポケット２４０の上辺の高さは７９ｍｍである。
【００３３】
上記第１の実施形態では、図７（ａ）に示したように、左のカードポケット１３０のカード挿入口１３０ａ、１３０ｂ、１３０ｃと、右のカードポケット１４０のカード挿入口１４０ａ、１４０ｂ、１４０ｃの位置が同じであった。本実施形態では、図７（ｂ）に示したように、カードポケット２３０のカード挿入口２３０ａ、２３０ｂ、２３０ｃと、カードポケット２４０のカード挿入口２４０ａ、２４０ｂ、２４０ｃの上下方向の位置がずれている。
【００３４】
ずらす位置は、任意でよいが、例えばカード挿入口２３０ａ、２３０ｂ、２３０ｃ、２４０ａ、２４０ｂ、２４０ｃを厚手にしている場合は、その厚みと同程度（例えば、２ｍｍ程度）とすることができる。カードポケットの位置のずれはわずかなので、使用時に不便さや違和感はない。なお、一般的な財布の中には、デザイン的にカードポケットの位置を敢えて変えているものもあるが、本実施形態の構成は、それとは本質的に異なるものである。
【００３５】
また、カード挿入口は、財布２００の使用を重ねるうちに、厚みを帯びてくることがある。この点、本実施形態の構成（図７（ｂ））によれば、上記第１の実施形態の構成（図７（ａ））と比較して、財布２００を折り畳んだときの薄さを長い期間維持することが可能である。
【００３６】
（第２の実施形態の効果）
以上説明したように、本実施形態によれば、上記第１の実施形態の効果に加え、カード挿入口２３０ａ〜２３０ｃ、２４０ａ〜２４０ｃの上下方向の位置が、左右のカードポケット２３０、２４０でずれているようにしたことで、財布を折り畳んだときにカード挿入口２３０ａ〜２３０ｃ、２４０ａ〜２４０ｃが重ならず、薄い財布２００とすることができる。また、同じ財布２００を長く使用して素材が厚みを帯びてきても、財布２００全体の薄さを維持できる。
【００３７】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３８】
例えば、上記第１の実施形態では、カードポケット１３０、１４０を設けた構成について説明したが、本発明はこれに限定されない。少なくとも財布本体と、クリップを有する構成であれば、カードポケットを設けずに、よりシンプルな構成とすることもできる。また、カードポケットを設ける場合であっても、上記実施形態で説明したカードポケット１３０、１４０の構成に限定されるものではない。例えば、カード挿入口の数は任意に設計することができる。また、カードポケットに代えて、カード挿入口の無い板状の部材としてもよい。この場合も、図３に示したような３パターンの紙幣Ｍの挟み方が可能である。
【産業上の利用可能性】
【００３９】
本考案は、財布に利用可能であり、特に、マネークリップと称される薄型の財布に利用可能である。
【符号の説明】
【００４０】
１００  財布
１１０  財布本体
１１２  クリップ収容部
１２０  クリップ
１２２  長辺
１２４  短辺
１２６  結合部
１３０  カードポケット
１４０  カードポケット
２００  財布
２１０  財布本体
２２０  クリップ
２３０  カードポケット
２３０ａ、２３０ｂ、２３０ｃ  カード挿入口
２４０  カードポケット
２４０ａ、２４０ｂ、２４０ｃ  カード挿入口
Ｍ  紙幣
【図１】
0003206649.tif 000003
【図２】
0003206649.tif 000004
【図３】
0003206649.tif 000005
【図４】
0003206649.tif 000006
【図５】
0003206649.tif 000007
【図６】
0003206649.tif 000008
【図７】
0003206649.tif 000009